(57)【要約】      （修正有）【課題】部品点数を増加させることなく、小型でスムーズにカードを取り出すことが可能なカードケースを提供する。【解決手段】カードケースは１枚のシート部材からなり、カード６を収納する矩形袋状のカード収納部２と、カード収納部に折り畳まれる蓋部３と、蓋部３をカード収納部２の開口部２４に向けて折り返して形成した内蓋部４と、内蓋部４に接続され、カード収納部２に差し込まれるカードホルダ部を備える。カード収納部２の内部でカード６はカード載置部に載置されるとともに一辺が係合部５ｂと係合して収納されている。蓋部３を開いた状態で、内蓋部４の切開片４ａを起立させると、内蓋部４に接続されたカードホルダ部が牽引され、開口部２４に向けてスライドする。その結果、係合部５ｂと係合したカード６がカード収納部２から引き出されて、スムーズにカード６を取り出すことができる。【選択図】図５
2020074973.tif 000002
【特許請求の範囲】
【請求項１】
折り畳み式のカードケースであって、
袋状のカード収納部と、前記カード収納部に向けて折り畳まれる蓋部と、前記蓋部を前記カード収納部の開口部に向けて折り返して形成した内蓋部と、前記内蓋部に接続され、前記カード収納部に差し込まれるカードホルダ部と、を備え、
前記カードホルダ部が、前記カード収納部内でカードの一辺と係合する係合部を含み、
前記内蓋部が、前記係合部に向けて突出する凸形状の切開片を含み、
前記カードケースを開いた状態で前記切開片を起立させると、前記係合部が、前記カード収納部の開口部に向けてスライドすることを特徴とするカードケース。
【発明の詳細な説明】
【技術分野】
【０００１】
本発明は、一枚のシート状部材を折り畳んで形成したカードケースに関する。
【０００２】
従来より、名刺等のカードの折れ曲がりや汚れを防ぐため、複数枚のカードをまとめて収納できる携帯用のカードケースが知られている。携帯用のカードケースは、一般に、カバンや上着ポケット等に収め易いよう、カードの大きさにあわせて薄く小型に作られている。特に、袋状の収納部を備えた折り畳み式のカードケースは、様々な素材を使って手軽に製造できるため、巷で広く流通している。
【０００３】
しかし、このような袋状のカードケースを用いた場合、カードを取り出す際に取り出し口を広げてカードを摘む必要があり、スマートにカードを取り出すことができないという問題があった。この点、引用文献１では、袋状の名刺収納ポケット（２）の内部で名刺と係合する引き出し板（８）を設け、引き出し板のツマミ部（７）を引っ張ることによって名刺を引き出すことが可能な技術が提案されている。
【０００４】
しかし、この技術によると、名刺入れ本体と別途に引き出し板が必要となるため、部品点数が増加し、製造工程で手間がかかるという問題があった。また、ツマミ部を名刺収納ポケットから突出させて設ける必要があるため、名刺入れ本体のサイズが大きくなるという問題もあった。
【先行技術文献】
【特許文献】
【０００５】
【特許文献１】登録実用新案第３０５１３３１号公報
【発明の概要】
【発明が解決しようとする課題】
【０００６】
そこで、本発明の目的は、部品点数を増加させることなく、小型でスムーズにカードを取り出すことが可能なカードケースを提供することにある。
【課題を解決するための手段】
【０００７】
上記課題を解決するために、本発明のカードケースは、折り畳み式のカードケースであって、袋状のカード収納部と、カード収納部に向けて折り畳まれる蓋部と、蓋部をカード収納部の開口部に向けて折り返して形成した内蓋部と、内蓋部に接続され、カード収納部に差し込まれるカードホルダ部と、を備え、カードホルダ部が、カード収納部内でカードの一辺と係合する係合部を含み、内蓋部が、係合部に向けて突出する凸形状の切開片を含み、カードケースを開いた状態で切開片を起立させると、係合部が、カード収納部の開口部に向けてスライドすることを特徴とする。
【発明の効果】
【０００８】
本発明のカードケースによれば、１枚のシート状部材から構成されているため、部品点数が増加しないという効果を有する。また、内蓋部に設けた切開片に指を掛けて起立させることにより、内蓋部に接続されたカードホルダ部が牽引され、カードを収納部から引き出すことができるため、「つまむ」動作や「つまむ」部材が不要となり、カードケース本体を小型に設けつつ、スムーズな取り出しが可能となるという効果も有する。
【図面の簡単な説明】
【０００９】
【図１】本発明のカードケースの使用状態を示す概略図である。
【図２】図１のカードケースの展開図である。
【図３Ａ】図２の展開図の折り畳み方法を説明する説明図（１）である。
【図３Ｂ】図２の展開図の折り畳み方法を説明する説明図（２）である。
【図３Ｃ】図２の展開図の折り畳み方法を説明する説明図（３）である。
【図３Ｄ】図２の展開図の折り畳み方法を説明する説明図（４）である。
【図３Ｅ】図２の展開図の折り畳み方法を説明する説明図（５）である。
【図４】カード収納状態を示すＡ−Ａ線断面図である。
【図５】カードを取り出す動作を説明した説明図である。
【図６】本発明のカードケースの変更例を示す概略図である。
【発明を実施するための形態】
【００１０】
以下、図面を参照して、本発明の一実施形態を説明する。なお、各図面における寸法は実際の寸法を反映するものではない。
【００１１】
図１に示すように、本発明のカードケース１は、カード６を収納する矩形袋状のカード収納部２と、カード収納部に折り畳まれる蓋部３と、蓋部３をカード収納部２の開口部２４に向けて折り返して形成した内蓋部４と、内蓋部４に接続され、カード収納部２に差し込まれるカードホルダ部５を備える。カードホルダ部５は、カード収納部２の内部でカード６の一辺と係合する係合部５ｂ（図５参照）を備える。また、内蓋部４は、係合部５ｂに向けて突出する凸形状の切開片４ａを備える。カード６としては、例えば、名刺やグリーティングカード等の様々なカードを選択でき、カードケース１の大きさは、収納するカード６の大きさやシート部材の材質・剛性に応じて変更できる。
【００１２】
図２の展開図に示すように、カードケース１は、一枚のシート状部材を折り畳んで形成される。なお、シート状部材には、様々な材質の部材を用いることができ、折り畳み可能な程度の厚さ・剛性を有する紙材、皮材、プラスティック材、不織布材、木材等を選択できる。また、特に、紙材については、例えば、坪量１９０〜４００ｇ／ｍ２の王子マテリア株式会社製「Ｎｅｗピジョン」や中越パルプ工業株式会社製「ブランシュ（登録商標）ＴＺ」、「アストル（登録商標）ＴＺ」などの厚紙や特種東海製紙株式会社製「江戸小染（登録商標）」、「ＩＣＨＩＭＡＴＳＵ」、「レザック（登録商標）」などのファンシーペーパーを好ましく採用できる。
【００１３】
以下、図３Ａ〜図３Ｅに基づいて、図２の展開図を折り畳み、図１のカードケース１を形成する方法を説明する。まず、図３Ａに示すように、フラップ２ａを谷折り線２１でＹ方向に折り畳み、フラップ２ｂを谷折り線２２で−Ｙ方向に折り畳み、フラップ２ｃを谷折り線２３で−Ｘ方向に折り畳み、折り畳まれたフラップ２ｃとフラップ２ａ，２ｂとを貼り合わせて、矩形袋状のカード収納部２を形成する。このとき、カード収納部２は、１枚または複数枚のカードを収納できるスペースを有している。また、カードの収容枚数を増やすため、谷折り線２１，２２，２３にいわゆるマチ部を形成しても良い。
【００１４】
次に、図３Ｂに示すように、カード収納部２の開口部２４を覆うように谷折り部３１でＸ方向へ折り畳んで蓋部３を形成する。このとき、谷折り部３１は、２本の谷折り線３１ａ，３１ｂと、谷折り線３１ａ，３１ｂに挟まれたマチ部３１ｃを含む。マチ部３１ｃによって、カード収納時の厚みが確保され、カード６を多数収納した場合であっても、蓋部３を確実に畳むことが可能となる。
【００１５】
今度は、図３Ｃに示すように、蓋部３を、蓋部３の折り畳み内側面と対向するように谷折り線４１でＸ方向に折り畳み、内蓋部４を形成する。内蓋部４の略中央部には、係合部５ｂに向けて突出する凸形状の切開部４２が設けられ、切開部４２の両端部に、谷折り線４１と平行となるように、山折り線４３が設けられている。なお、切開部４２は、内蓋部４を山折り線４３で山折りすると、切開片４ａ（図３Ｅ参照）を形成する。
【００１６】
さらに、図３Ｄに示すように、内蓋部４を、谷折り部５１で−Ｘ方向に折り畳み、カードホルダ部５を形成する。このとき、谷折り部５１は、２本の谷折り線５１ａ，５１ｂと、谷折り線５１ａ，５１ｂに挟まれたマチ部５１ｃを含む（図３Ｅ参照）。マチ部５１ｃは、蓋部３のマチ部３１ｃよりもマチ幅が狭くなるように設けられ、カードケース１を折り畳むと、蓋部３のマチ部３１ｃとカードホルダ部５のマチ部５１ｃが重ねられ、マチ部５１ｃによってマチ部３１ｃが内側から補強される。
【００１７】
その後、図３Ｅに示すように、カードホルダ部５を谷折り線５２で−Ｘ方向に折り返すと、カードを載置するカード載置部５ａと、カード６の一辺と係合する係合部５ｂが形成される。このとき、谷折り線５２が緩く折り畳まれていると、カード６を引き出す際に係合状態が解除され、カード６がカード収納部２の内部に取り残されるおそれがある。このため、谷折り線５２にミシン目を設けて、他の折り畳み線よりもしっかりと折り畳むことが好ましい。そして、最後に、カードホルダ部５を開口部２４からカード収納部２に差し込んで二つ折りに折り畳むことにより、カードケース１が完成する。
【００１８】
ここで、図４（ａ）に示す完成したカードケース１をＡ−Ａ線で切断すると、図４（ｂ）に示すように、カード収納部２に蓋部３が折り畳まれ、蓋部３をカード収納部２の開口部２４に向けて折り返して内蓋部４が形成され、内蓋部４とカードホルダ部５が連結され、さらに、カードホルダ部５のカード載置部５ａにカード６が載置され、カード６の一辺が係合部５ｂと係合している。
【００１９】
次に、カードケース１からカード６を取り出す動作を、図５に基づいて説明する。図５（ａ）に示すように、カードケース１の蓋部３を開いた状態では、カード６はカード収納部２の中に収納されている。ここで、図５（ｂ）に示すように、内蓋部４の切開片４ａを起立させると、内蓋部４に接続されたカードホルダ部５が牽引され、カード収納部２の内部では、係合部５ｂが、開口部２４に向けてスライドする。その結果、係合部５ｂおよび係合したカード６がカード収納部２から引き出されて、スムーズにカード６を取り出すことができる。
【００２０】
反対に、内蓋部４の切開片４ａを伏せると、内蓋部４に接続されたカードホルダ部５が切開片４ａからカード収納部２の奥に向けてスライドし、カードホルダ部５に載置されたカード６も、カード収納部２に再び収納される。このとき、図５（ｂ）に示すように、内蓋部４に、カード６の他の一辺を係止する凹凸部４４を設けても良い。凹凸部４４を設けることにより、カード６を再収納する際に、カード６が係止され、カード収納部２の内部に押し戻されることから、スムーズな再収納が可能となる。
【００２１】
以上の構成のカードケース１によれば、一枚のシート部材から構成されているため、部品点数が削減され、製造の手間が軽減されるという効果を有する。また、切開片４ａに指をかけ、起伏させることで、カード６の引き出し・収納を自在に行えるため、スムーズにカード６を出し入れすることができるという優れた効果も有する。さらに、カードケース１全体が一のシート部材から構成されているため、カードホルダ部５を紛失するおそれなく、安心して利用できるという効果も有する。
【００２２】
なお、本発明は上記実施形態に限定されるものではなく、本発明の目的を達成できる範囲での変形、改良等は本発明に含まれる。例えば、図６に示すように、カード収納部２の折り畳み外側面２ｄに窓部２５を設けても良い。この場合には、窓部２５を通じて、蓋部３を開くことなくカード収納部２の中身を確認できる。また、窓部２５にカードを嵌め込んでメッセージを表示したり、写真を飾ったりすることも可能である。
【符号の説明】
【００２３】
１    カードケース
２    カード収納部
２ａ  フラップ
２ｂ  フラップ
２ｃ  フラップ
２１  谷折り線
２２  谷折り線
２３  谷折り線
２４  開口部
２５  窓部
３    蓋部
３１  谷折り部
３１ａ  谷折り線
３１ｂ  谷折り線
３１ｃ  マチ部
４    内蓋部
４ａ  切開片
４ｂ  内蓋部
４１  谷折り線
４２  切開部
４３  山折り線
４４  凹凸部
５    カードホルダ部
５ａ  カード載置部
５ｂ  係合部
５１  谷折り部
５１ａ  谷折り線
５１ｂ  谷折り線
５１ｃ  マチ部
５２  谷折り線
６    カード
【図１】
2020074973.tif 000003
【図２】
2020074973.tif 000004
【図３Ａ】
2020074973.tif 000005
【図３Ｂ】
2020074973.tif 000006
【図３Ｃ】
2020074973.tif 000007
【図３Ｄ】
2020074973.tif 000008
【図３Ｅ】
2020074973.tif 000009
【図４】
2020074973.tif 000010
【図５】
2020074973.tif 000011
【図６】
2020074973.tif 000012